(57)【要約】【課題】ＨＤＭＩ−ＣＥＣによる制御を無効した場合でも、内蔵したソース機器についてはＨＤＭＩ−ＣＥＣによる制御が可能な映像・音声処理装置および映像・音声処理方法を提供する。【解決手段】この映像・音声処理装置は、映像・音声を処理する第１のソース機器を接続可能な端子を備えた筺体と、筐体内に配置された映像・音声を処理する第２のソース機器と、端子と第２のソース機器にデジタルインターフェースを介して接続され、第１，第２のソース機器との間でデジタルインターフェースの制御線を通じて制御信号を送受信する制御装置と、第１，第２のソース機器および制御装置間における制御信号の有効・無効を設定する設定信号を受け付ける受付手段と、を備え、制御装置は、受付手段が制御信号の無効を設定する設定信号を受け付けると、第１のソース機器から送信される制御信号に対応する機能を実行しないことを特徴とする。【選択図】図１
2011142445.tif 000002
【特許請求の範囲】
【請求項１】
映像・音声を処理する第１のソース機器を接続可能な端子を備えた筺体と、
前記筐体内に配置された映像・音声を処理する第２のソース機器と、
前記端子と前記第２のソース機器にデジタルインターフェースを介して接続され、前記第１，第２のソース機器との間で前記デジタルインターフェースの制御線を通じて制御信号を送受信する制御装置と、
前記第１，第２のソース機器および前記制御装置間における制御信号の有効・無効を設定する設定信号を受け付ける受付手段と、
を備え、
前記制御装置は、前記受付手段が制御信号の無効を設定する設定信号を受け付けると、前記第１のソース機器から送信される制御信号に対応する機能を実行しないことを特徴とする映像・音声処理装置。
【請求項２】
前記制御装置は、前記第２のソース機器の物理アドレスが記憶された第１のメモリを備え、該第１のメモリに記憶された前記物理アドレスに基づいて、受信した制御信号が前記第２のソース機器から送信されたかどうかを判定することを特徴とする請求項１記載の映像・音声処理装置。
【請求項３】
前記制御装置は、前記第１，第２のソース機器が取得可能な通信用アドレスの候補が記憶された第２のメモリをさらに備え、前記第２のメモリから所定の順序で読み出した一つの通信用アドレスの候補を用いてポーリングを行い、前記第２のソース機器が取得した通信用アドレスを取得し、前記第２のソース機器が取得した通信用アドレスを取得した後は、前記ポーリング動作を行わないことを特徴とする請求項１または請求項２記載の映像・音声処理装置。
【請求項４】
前記制御装置は、
前記制御信号がブロードキャストで送信されている場合、該制御信号に対する応答を行わず、前記制御信号が自己宛に送信されている場合、前記制御信号が前記第１のソース機器から送信されていれば、該制御信号に対する応答を行わず、前記制御信号が前記第２のソース機器から送信されていれば、該制御信号に対する応答を行うことを特徴とする請求項１ないし請求項３のいずれか1項記載の映像・音声処理装置。
【請求項５】
前記筺体に設けられ、前記第１，第２のソース機器により処理される映像を表示するディスプレイおよび前記第１，第２のソース機器により処理される音声を出力するスピーカをさらに具備することを特徴とする請求項１ないし請求項４のいずれか１項記載の映像・音声処理装置。
【請求項６】
映像・音声信号を処理する第１のソース機器を接続可能な端子を備えた筺体と、前記筐体内に配置された映像・音声信号を処理する第２のソース機器と、前記端子と前記第２のソース機器にデジタルインターフェースを介して接続され、前記第１，第２のソース機器との間で前記デジタルインターフェースの制御線を通じて制御信号を送受信する制御装置と、前記第１，第２のソース機器および前記制御装置間における制御信号の有効・無効を設定する設定信号を受け付ける受付手段と、を備えた映像・音声処理装置による映像・音声処理方法であって、
前記制御装置は、前記受付手段が制御信号の無効を設定する設定信号を受け付けると、前記第１のソース機器から送信される制御信号に対応する機能を実行しないことを特徴とする映像・音声処理方法。
【請求項７】
前記制御装置は、第１のメモリに記憶されている前記第２のソース機器の物理アドレスに基づいて、受信した制御信号が前記第２のソース機器から送信されたかどうかを判定することを特徴とする請求項６記載の映像・音声処理方法。
【請求項８】
前記制御装置は、前記第１，第２のソース機器が取得可能な通信用アドレスの候補が記憶された第２のメモリから所定の順序で読み出した一つの通信用アドレスの候補を用いてポーリングを行い、前記第２のソース機器が取得した通信用アドレスを取得し、前記第２のソース機器が取得した通信用アドレスを取得した後は、前記ポーリング動作を行わないことを特徴とする請求項６または請求項７記載の映像・音声処理方法。
【請求項９】
前記制御装置は、前記制御信号がブロードキャストで送信されている場合、該制御信号に対する応答せず、前記制御信号が自己宛に送信されている場合、前記制御信号が前記第１のソース機器から送信されていれば、該制御信号に対する応答を行わず、前記制御信号が前記第２のソース機器から送信されていれば、該制御信号に対する応答を行うことを特徴とする請求項６ないし請求項８のいずれか1項記載の映像・音声処理方法。
【発明の詳細な説明】
【技術分野】
【０００１】
本発明は、映像・音声などの信号を処理するデジタルインターフェースを有する映像・音声処理装置及び映像・音声処理方法に関する。
【背景技術】
【０００２】
近年、映像・音声処理装置としてのテレビジョン受信機は高機能化され、映像・音声信号と制御信号とを１本のケーブルで送受信できるデジタルインターフェース（例えば、ＨＤＭＩ（High-Definition Multimedia Interface）入力端子）を備えたものが商品化されている。High-Definition Multimedia InterfaceおよびＨＤＭＩは登録商標である。
【０００３】
ＨＤＭＩケーブルには、機器間でコマンドを送受信するためのＣＥＣ（Consumer Electronics Control）制御線が通常１本（１ｃｈ）設けられている。このＣＥＣでは、各ベンダーに共通するコマンド（制御信号）が規定されている他、各ベンダーが製品の機能を拡張できるように独自にコマンドを規定することもできる仕様となっている。なお、以下の説明では、ＣＥＣ制御線が設けられたＨＤＭIケーブルをＨＤＭＩ−ＣＥＣ制御線と称する。
【０００４】
ＨＤＭＩ−ＣＥＣ制御線を用いた制御は、以下の手順で行われる。テレビジョン受信機に設けられたＨＤＭＩ端子にレコーダやプレーヤ等のソース機器が接続されると、テレビジョン受信機とソース機器間でコマンドをやりとりし、通信用のアドレスをソース機器に付与する。次に、テレビジョン受信機からコマンドを送信する際に、先に付与したアドレスを指定することでソース機器の機能制御を行う。
【０００５】
ここで、ユーザの利便性を向上させるために、ＨＤＭＩ−ＣＥＣによる制御を使用するかどうかの設定（以下、ＣＥＣ連動設定と称する）をユーザに選択させるものがある（例えば特許文献１）。この映像・音声処理装置では、ＣＥＣ連動設定をＯＮにすると接続されている全ての機器に対するＨＤＭＩ−ＣＥＣ制御が有効となり、ＣＥＣ連動設定をＯＦＦにすると、接続されている全ての機器に対するＨＤＭＩ−ＣＥＣ制御が無効となる。
（例えば特許文献１参照）。
【先行技術文献】
【特許文献】
【０００６】
【特許文献１】特開２００９−７１３９６号公報（段落[０００７]等）
【発明の概要】
【発明が解決しようとする課題】
【０００７】
しかしながら、近年では、ＤＶＤプレーヤ等のソース機器を内蔵し、内蔵しているソース機器を、ＨＤＭＩ−ＣＥＣを使用して制御するテレビジョン受信機も商品化されている。このようなソース機器を内蔵したテレビジョン受信機では、接続されている全ての機器に対するＨＤＭＩ−ＣＥＣによる制御を無効とすると、内蔵したソース機器まで使用できなくなる。また、内蔵するソース機器の制御に、ＨＤＭＩ−ＣＥＣ制御線とは別に設けた専用線を用いた場合、内蔵するソース機器の制御と外部接続されるソース機器のＨＤＭＩ−ＣＥＣ制御とのための連携機能部品を開発する必要があり、コスト高になる。
【０００８】
本発明はこのような課題を解決するためになされたもので、ＨＤＭＩ−ＣＥＣによる制御を無効した場合でも、内蔵したソース機器についてはＨＤＭＩ−ＣＥＣによる制御が可能な映像・音声処理装置および映像・音声処理方法を提供することを目的とする。
【課題を解決するための手段】
【０００９】
本発明の一実施形態に係る映像・音声処理装置は、映像・音声を処理する第１のソース機器を接続可能な端子を備えた筺体と、筐体内に配置された映像・音声を処理する第２のソース機器と、端子と第２のソース機器にデジタルインターフェースを介して接続され、第１，第２のソース機器との間でデジタルインターフェースの制御線を通じて制御信号を送受信する制御装置と、第１，第２のソース機器および制御装置間における制御信号の有効・無効を設定する設定信号を受け付ける受付手段と、を備え、制御装置は、受付手段が制御信号の無効を設定する設定信号を受け付けると、第１のソース機器から送信される制御信号に対応する機能を実行しないことを特徴とする。
【００１０】
本発明の一実施形態に係る映像・音声処理方法は、映像・音声信号を処理する第１のソース機器を接続可能な端子を備えた筺体と、筐体内に配置された映像・音声信号を処理する第２のソース機器と、端子と第２のソース機器にデジタルインターフェースを介して接続され、第１，第２のソース機器との間でデジタルインターフェースの制御線を通じて制御信号を送受信する制御装置と、第１，第２のソース機器および制御装置間における制御信号の有効・無効を設定する設定信号を受け付ける受付手段と、を備えた映像・音声処理装置による映像・音声処理方法であって、制御装置は、受付手段が制御信号の無効を設定する設定信号を受け付けると、第１のソース機器から送信される制御信号に対応する機能を実行しないことを特徴とする。
【発明の効果】
【００１１】
本発明によれば、ＨＤＭＩ−ＣＥＣによる制御を無効した場合でも、内蔵したソース機器についてはＨＤＭＩ−ＣＥＣによる制御が可能な映像・音声処理装置および映像・音声処理方法を提供できる。
【図面の簡単な説明】
【００１２】
【図１】本発明の一実施形態のＢＤプレーヤ内蔵ＴＶの構成を示す図である。
【図２】アドレス取得動作を示すフローチャートである。
【図３】アドレス取得動作を示すタイミングチャートである。
【図４】ポーリング動作を示すフローチャートである。
【図５】コマンド受信時の動作を示すフローチャートである。
【発明を実施するための形態】
【００１３】
以下、図面を参照して、本発明の映像・音声処理装置の一つの実施の形態のＢＤプレーヤ内蔵テレビジョン装置（以下「ＢＤプレーヤ内蔵ＴＶ」と称す）を詳細に説明する。図１はＢＤプレーヤ内蔵ＴＶの構成を示す図である。
【００１４】
図１に示すように、この実施形態のＢＤプレーヤ内蔵ＴＶは、映像表示用のディスプレイ３７およびスピーカ３８などの出力部、ディスプレイ３７およびスピーカ３８に出力する情報を生成する機能部品を収容したＴＶ筐体１、および、このＴＶ筐体１に設けられた外部入力用のＨＤＭＩ端子１９と電源ユニット８とを有する。なお、端子の数は複数（２つ以上）設けてもよい。
【００１５】
電源ユニット８は、家庭の壁コンセントなどの商用電源から供給される一次電源（交流１００Ｖ）をＡＣ／ＤＣ変換する。電源ユニット８は、このＡＣ／ＤＣ変換した動作用の電力（直流＋１２Ｖ、＋５Ｖ等）をＢＤユニット２（第２のソース機器）およびＴＶユニット３へ供給する。
【００１６】
外部入力用のＨＤＭＩ端子１９には、外部ソース機器（例えばＢＤプレーヤ、ＤＶＤプレーヤ、ＡＶアンプ、レコーダ、ＡＶセレクタ…等）が汎用のＨＤＭＩケーブルを介して着脱自在に接続される。
【００１７】
ＴＶ筐体１内には、外部入力用のＨＤＭＩ端子１９から内部配線用のＨＤＭＩケーブル６が接続され、ＴＶユニット３へ配線されている。ＨＤＭＩケーブル６には、ホットプラグ検出線１２（以下「ＨＰＤ線１２」と称す）、ＨＤＭＩ−ＣＥＣ制御線１３、＋５Ｖ電源線１６、映像・音声のデータ線であるデータ線１８等が含まれる。
【００１８】
ＨＤＭＩ−ＣＥＣ制御線１３には、外部ソース機器と内蔵ソース機器とが物理的に共通する配線（１本の配線を２つに分岐させた状態）で接続される。このＨＤＭＩ−ＣＥＣ制御線１３を介してコマンド（制御信号）をやりとりすることで、内外に接続されたソース機器の動作制御、切り替え制御等を行う。
【００１９】
コマンドとしては、例えば個々のベンダーで個別の機能制御などに利用するためのベンダーコマンド、デッキステータスコマンド、アクティブソースコマンドなどがある。ベンダーコマンドおよびデッキステータスコマンドはダイレクトコマンドであり、宛先を特定したコマンドである。アクティブソースコマンドは、アドレス取得要求のポーリング動作を行うためのブロードキャストコマンドである。デッキステータスコマンドは、機器を個別の機器から制御するためのコマンドであり、例えばＴＶ側のリモートコントローラ９（以下、リモコン９）からＢＤユニット２へのディスク再生、停止など、ボタン操作に応じた動作を行わせるためのコマンドである。
【００２０】
ＴＶユニット３は、制御装置３０、ＴＶチューナー３５、映像・音声処理ユニット３６、ディスプレイ３７、スピーカ３８などを有する。
【００２１】
ＴＶチューナー３５は、アンテナから入力されたテレビジョン放送を受信し、受信した番組の映像・音声を映像・音声処理ユニット３６に出力する。ＴＶチューナー３５は、デジタルチューナーまたはアナログチューナーの少なくとも一方を備える。また、デジタルチューナーまたはアナログチューナーは、それぞれ複数実装されていてもよい。
【００２２】
映像・音声処理ユニット３６は、ＴＶチューナー３５から入力される映像・音声のデジタルデータまたはアナログ信号とＨＤＭＩケーブル５，６の各データ線１７，１８よりそれぞれ入力される映像・音声のデジタルデータを再生する。映像・音声処理ユニット３６は、制御装置３０により制御されて、ＴＶチューナー３５とＨＤＭＩケーブル５，６からそれぞれ入力されるデータまたは信号を切り替えてディスプレイ３７およびスピーカ３８へ出力する。また、映像・音声処理ユニット３６は、ＣＥＣ連動設定の選択画面をディスプレイ３７に表示する。ユーザは、リモコン９や、ＴＶ筺体１に設けられた図示しない操作ボタンを操作してＣＥＣ連動設定のＯＮ（有効）またはＯＦＦ（無効）を選択する。マルチ画面表示機能を有する場合、映像・音声処理ユニット３６は、分割した複数の画面にそれぞれの映像ソースを表示するよう再生処理する。
【００２３】
ディスプレイ３７は、映像・音声処理ユニット３６により再生処理された映像を画面に表示する。スピーカ３８は、映像・音声処理ユニット３６により再生処理された音声を出力する。
【００２４】
制御装置３０は、ＨＤＭＩ毎に設けられたＨＤＰ制御ユニット３１，３２と、ＣＥＣ制御ユニット３３とメモリ３４（第１，第２のメモリ）を有する。
【００２５】
ＨＤＰ制御ユニット３１は、ＨＤＭＩ端子２９（ＨＤＭＩケーブル５）への内蔵ソース機器（ＢＤユニット２）の接続を検出し、接続が検出されたＢＤユニット２に対するＨＤＰ信号をde-assert（停止状態）からAsserted（アクティブな状態）へ変化させるホットプラグ検出部として機能する。
【００２６】
ＨＤＰ制御ユニット３２は、ＨＤＭＩ端子２９，３９（ＨＤＭＩケーブル６）への外部ソース機器（ＤＶＤプレーヤ４：第１のソース機器）の接続を検出し、接続が検出されたＤＶＤプレーヤ４に対するＨＤＰ信号をde-assert（停止状態）からAsserted（アクティブな状態）へ変化させるホットプラグ検出部（ＨＰＤ検出部）として機能する。
【００２７】
なお、この例では、ＨＤＰ信号を変化させたが、ソース機器の接続の検出を、ホットプラグ検出信号を出すか出さないかで切り替えてもよい。この場合、ＨＤＰ制御ユニット３１は、接続が検出されたＢＤユニット２に対するホットプラグ検出を示す信号をＨＤＭＩケーブル５へ出力する。また、ＨＤＰ制御ユニット３２は、接続が検出されたＤＶＤプレーヤ４に対するホットプラグ検出を示す信号をＨＤＭＩケーブル６へ出力する。
【００２８】
メモリ３４には、論理アドレス「０」から「１４」、およびＨＤＭＩ入力端子２９，３９に対応する物理アドレス（１．０．０．０）、（２．０．０．０）が記憶されている。また、このメモリ３４は、通信用アドレス取得動作によりソース機器が決定しソース機器から通知された通信用アドレス（物理アドレスと論理アドレスとの対）を記憶可能な通信用アドレスメモリである。
【００２９】
ＣＥＣ制御ユニット３３は、ＨＤＭＩ入力端子２９へのＢＤユニットの接続がＨＤＰ制御ユニット３１により検出されると、ＨＤＭＩ入力端子２９に対応する物理アドレス（１．０．０．０）をＢＤユニット２の物理アドレスとして送信する。また、ＣＥＣ制御ユニット３３は、ＨＤＭＩ入力端子３９へのＢＤユニットの接続がＨＤＰ制御ユニット３２により検出されると、ＨＤＭＩ入力端子３９に対応する物理アドレス（２．０．０．０）をＤＶＤプレーヤ４の物理アドレスとして送信する。
【００３０】
さらに、ＣＥＣ制御ユニット３３は、ＨＤＭＩケーブル５，６からの共通の制御線であるＨＤＭＩ−ＣＥＣ制御線１３を通じて各ソース機器から受信されたアドレス決定通知に含まれる通信用アドレスを抽出し、通信用アドレスのメモリ３４に記憶する。それ以降、ＣＥＣ制御ユニット３３は、メモリ３４に記憶した通信用アドレスを用いてソース機器に対する通信制御を行う。また、ＣＥＣ制御ユニット３３は、受付手段１０で受付けたユーザによるＣＥＣ連動設定のＯＮ、ＯＦＦをメモリ３４に記憶する。ＣＥＣ制御ユニット３３は、例えば、ＣＥＣ連動設定がＯＮである場合に、メモリ３４の特定のアドレスにフラグを立てることで、ＣＥＣ連動設定がＯＮであるかＯＦＦであるかを記憶する。
【００３１】
ＴＶユニット３には、ＢＤユニット２にＨＤＭＩケーブル５を介して接続されたＨＤＭＩ端子２９と、ＨＤＭＩケーブル６を介してＨＤＭＩ端子１９に接続されたＨＤＭＩ端子３９が設けられている。
【００３２】
ＨＤＭＩ端子２９には、例えばブルーレイディスク（以下「ＢＤ」と称す）やＤＶＤ等といったディスク状記録媒体（ＢＤディスクなど）に記録された情報を読み出して再生するＢＤプレーヤユニット２（以下「ＢＤユニット２」と称す）等の内蔵ソース機器が、内部配線用のＨＤＭＩケーブル５を介して接続されている。またＨＤＭＩ端子２９は、各内部配線を介して制御装置３０に接続されている。
【００３３】
ＨＤＭＩケーブル５の配線としては、例えばホットプラグ検出線１１（以下「ＨＰＤ線１１」と称す）、ＨＤＭＩ−ＣＥＣ制御線１３、＋５Ｖ電源線１５、映像・音声のデータ線である映像・音声線１７等がある。
【００３４】
ＢＤユニット２は、候補メモリ２１と、保持部２２と、通信用アドレス取得ユニットとしてのＣＥＣ制御ユニット２３とを有する。ＢＤユニット２としては、例えばＢＤディスクの映像・音声を再生する装置だけでなく、ＢＤディスクに対して映像・音声を記録する装置も含まれる。ブルーレイおよびブルーレイディスクは登録商標である。
【００３５】
候補メモリ２１は、電源供給されなくなった場合も保持可能な例えばＥＥＰＲＯＭなどにより実現されている。候補メモリ２１には、ＣＥＣ制御ユニット３３から与えられる物理アドレスと、このＢＤユニット２が取得可能な少なくとも一つの論理アドレスの候補が予め記憶されている。
【００３６】
ＨＤＭＩ−ＣＥＣ規格では、接続機器に割り当てられる論理アドレスがデバイスタイプ毎に決められており、この例のようにＢＤユニット２などではデバイスタイプが「Playback Device」であり、この場合、論理アドレスとして「４」と「８」と「１１」が取得可能である。この例では、これら３つのアドレス「４」，「８」，「１１」が候補メモリ２１に記憶されているものとする。
【００３７】
保持部２２は、ＲＡＭにより実現されており、決定した通信用アドレス（物理アドレスと論理アドレスの対）が保持される。保持部２２がＲＡＭのため、通信用アドレスの保持期間はアドレス取得後、電源供給が停止するまでである。
【００３８】
ＣＥＣ制御ユニット２３は、ＨＰＤ信号がアクティブな状態に変化すると、候補メモリ２１から、物理アドレスと、一定の順序で一つの通信用の論理アドレスの候補（例えば「４」など）とを読出し、それらのアドレスを含めたアドレス取得要求のポーリング動作を、ＨＤＭＩケーブル５を通じて行う。一定の順序とは、例えば小さい値から大きな値、または大きい値から小さな値といった順序である。
【００３９】
その後、他のソース機器（例えばＤＶＤプレーヤ４等）から候補の論理アドレスが使用中である旨の応答（ACK）が受信されなかった場合、ＣＥＣ制御ユニット２３は、その候補を通信用の論理アドレスとして決定し、決定した論理アドレスとＣＥＣ制御ユニット３３から与えられた物理アドレス（１．０．０．０）を含む通信用アドレスをアドレス決定通知に含ませて、ＨＤＭＩ−ＣＥＣ制御線１３を通じて制御装置３０のＣＥＣ制御ユニット３３へ送信する。
【００４０】
ＤＶＤプレーヤ４は、候補メモリ４１と、保持部４２と、通信用アドレス取得ユニットとしてのＣＥＣ制御ユニット４３とを有する。ＤＶＤプレーヤ４としては、例えばＤＶＤディスクの映像・音声を再生する装置だけでなく、ＤＶＤディスクに対して映像・音声を記録する装置も含まれる。
【００４１】
候補メモリ４１は、電源供給されなくなった場合も保持可能な例えばＥＥＰＲＯＭなどにより実現されている。候補メモリ４１には、ＣＥＣ制御ユニット３３から与えられる物理アドレスと、このＤＶＤプレーヤ４が取得可能な少なくとも一つの論理アドレスの候補が予め記憶されている。
【００４２】
上述したように、ＨＤＭＩ−ＣＥＣ規格では、接続機器に割り当てられる論理アドレスがデバイスタイプ毎に決められており、このＤＶＤプレーヤ４のデバイスタイプは「Playback Device」であることから、論理アドレスとして「４」と「８」と「１１」が候補メモリ４１に記憶されている。
【００４３】
保持部４２は、ＲＡＭにより実現されており、決定した通信用アドレス（物理アドレスと論理アドレスの対）が保持される。保持部４２がＲＡＭのため、通信用アドレスの保持期間はアドレス取得後、電源供給が停止するまでである。
【００４４】
ＣＥＣ制御ユニット４３は、ＨＰＤ信号がアクティブな状態に変化すると、候補メモリ４１から、物理アドレスと、一定の順序で一つの通信用の論理アドレスの候補（例えば「４」など）とを読出し、それらのアドレスを含めたアドレス取得要求のポーリング動作を、ＨＤＭＩケーブル６を通じて行う。一定の順序とは、例えば小さい値から大きな値、または大きい値から小さな値といった順序である。
【００４５】
その後、他のソース機器（例えばＢＤユニット２等）から候補の論理アドレスが使用中である旨の応答（ACK）が受信されなかった場合、ＣＥＣ制御ユニット４３は、その候補を通信用の論理アドレスとして決定し、決定した論理アドレスと、ＣＥＣ制御ユニット３３から与えられた物理アドレス（２．０．０．０）を含む通信用アドレスをアドレス決定通知に含ませて、ＨＤＭＩ−ＣＥＣ制御線１３を通じて制御装置３０のＣＥＣ制御ユニット３３へ送信する。
【００４６】
以上のように、ＣＥＣ制御ユニット２３，４３は、ＨＰＤ信号がde-assertからAssertedに変化すると、候補メモリ２１，４１から通信用アドレスの候補を一つずつ読み出し、通信用アドレスの候補を用いて通信用アドレス取得処理をポーリングで行い、決定した通信用アドレスを、ＨＤＭＩ−ＣＥＣ制御線１３を通じて制御装置３０へ通知する。
【００４７】
（アドレス取得動作）
図２は、アドレス取得動作を示すフローチャートである。図３は、アドレス取得動作を示すタイミングチャートである。ここでは、図２、図３を参照して、この実施形態のアドレス取得動作について説明する。なお、ＣＥＣ制御ユニット２３，４３による論理アドレスの取得動作は、ほぼ同じである。このため、ここでは、ＣＥＣ制御ユニット２３による論理アドレスの取得動作について説明し、ＣＥＣ制御ユニット４３による論理アドレスの取得動作については重複した説明を省略する。
【００４８】
このＢＤプレーヤ内蔵ＴＶでは、家庭の壁コンセントなどの商用電源に、このＴＶ筐体１から引き出されたＡＣコンセントが差し込まれ、電源ユニット８に一次電源が供給されると、電源ユニット８から動作用の電力がＢＤユニット２およびＴＶユニット３へ供給される（ステップＳ１０１）。
【００４９】
ＣＥＣ制御ユニット２３は、ＴＶユニット３側からＨＤＭＩ−ＣＥＣ制御線１３を通じて入力されるＨＰＤ信号がAsserted（アクティブな状態）となるのを待機する（ステップＳ１０２）。
【００５０】
電源ユニット８から動作用の電力がＴＶユニット３へ供給されると、ＴＶユニット３では、ＨＰＤ制御ユニット３２がＢＤユニット２へのＨＰＤ信号をde-assert（停止状態）からAsserted（アクティブな状態）へ変化させる（ステップＳ１０２のＹｅｓ）。
【００５１】
ＨＰＤ信号がde-assert（停止状態）からAsserted（アクティブな状態）に変化すると、ＢＤユニット２のＣＥＣ制御ユニット２３は、候補メモリ２１の候補の中から、通常は値の小さなアドレス「４」を一つ読み込み（ステップＳ１０３）、Logical address（論理アドレス）の取得動作を行う（ステップＳ１０４）。
【００５２】
なお、上述したようにLogical addressの取得動作では、ＣＥＣ制御ユニット２３は、読み込んだアドレス「４」が、他のソース機器（この実施形態では、ＤＶＤプレーヤ４）に取得されていないかどうかを確かめるため、ブロードキャストコマンドを使用してアドレス「４」を取得するためのポーリング動作を行う。ＣＥＣ制御ユニット２３は、ポーリング動作後、他のソース機器から応答（ACK）がない場合、アドレス「４」が使用されていないものとして、Logical addressとしてアドレス「４」を設定する。また、ポーリング動作後、他のソース機器から応答（ACK）があった場合、アドレス「４」が使用されているとして、次の候補アドレス「８」を読み出す。以下、同様の動作を行い、ポーリング動作後、一定時間の間に、他のソース機器から返信がない場合には、Logical addressとしてアドレス「８」を設定する。
【００５３】
ＣＥＣ制御ユニット２３は、Logical addressを例えば「４」に設定すると、設定したアドレス「４」とＣＥＣ制御ユニット３３から与えられた物理アドレス（１．０．０．０）をＴＶユニット３のＣＥＣ制御ユニット３３へコマンド送信する（ステップＳ１０５）。ＴＶユニット３のＣＥＣ制御ユニット３３は、ＣＥＳ制御ユニット２３から送信されたアドレス決定通知に含まれる通信用アドレス（論理アドレスおよび物理アドレス）を抽出し、通信用アドレスのメモリ３４に記憶する。それ以降、ＣＥＣ制御ユニット３３は、メモリ３４に記憶した通信用アドレスを用いてＢＤユニット２に対する通信制御を行う。
【００５４】
（ポーリング動作）
図４は、ＴＶユニット３の制御装置３０によるポーリング動作を示すフローチャートである。ここでは、図４を参照して、ＣＥＣ制御ユニット３３によるＢＤユニット２、ＤＶＤプレーヤ４に対するポーリング動作について説明する。
【００５５】
図２、３を参照して説明した論理アドレスの取得後、制御装置３０のＣＥＣ制御ユニット３３は、電源ユニット８から動作用の電力がＴＶユニット３へ供給された場合等のイニシャル動作時にメモリ３４に予め記憶されている論理アドレス「１」から「１４」に対し順番にポーリング動作を行う（ステップＳ２０１）。
【００５６】
次に、ＣＥＣ制御ユニット３３は、応答（ACK）のあった論理アドレスに対して<Give Physical Address>を送信し、物理アドレスの送信を要求し（ステップＳ２０２）、返信される物理アドレスを取得する（ステップＳ２０３）。なお、返信される物理アドレスには、論理アドレスも付与されている。
【００５７】
ＣＥＣ制御ユニット３３は、メモリ３４を参照して、返信された物理アドレスがＢＤユニット２のアドレス（１．０．０．０）であるどうかを確認する（ステップＳ２０４）。返信された物理アドレスがＢＤユニット２のアドレス（１．０．０．０）でない場合（ステップＳ２０４のＮｏ）、ＣＥＣ制御ユニット３３は、ステップＳ２０１の動作に戻り次の論理アドレスに対してポーリング動作を行う。
【００５８】
返信された物理アドレスがＢＤユニット２のアドレス（１．０．０．０）である場合（ステップＳ２０４のＹｅｓ）、ＣＥＣ制御ユニット３３は、物理アドレスに付与されている論理アドレスを前記物理アドレスに対応づけてメモリ３４に記憶する（ステップＳ２０５）。
【００５９】
ＣＥＣ制御ユニット３３は、メモリ３４を参照してＣＥＣ連動設定がＯＮであるかどうかを確認する（ステップＳ２０６）。ＣＥＣ連動設定がＯＮである場合（ステップＳ２０６のＹｅｓ）、ＣＥＣ制御ユニット３３は、その後も定期的にポーリング動作を行う（ステップＳ２０７）。また、ＣＥＣ連動設定がＯＦＦである場合（ステップＳ２０６のＮｏ）、ＣＥＣ制御ユニット３３は、その後のポーリング動作を行わない（ステップＳ２０８）。
【００６０】
なお、ステップＳ２０４における物理アドレスの確認後、ステップＳ２０５における論理アドレスの記憶前に、デバイスタイプを確認するようにしてもよい。この場合、予めメモリ３４にＢＤユニット２の物理アドレスとデバイスタイプとを対応づけて記憶しておき、確認時にメモリ３４を参照するように構成すればよい。
【００６１】
（コマンド受信時の動作）
図５は、ソース機器（ＢＤユニット２およびＤＶＤプレーヤ４）から送信されるコマンドを受信した際におけるＴＶユニット３の制御装置３０の動作を示すフローチャートである。ここでは、図５を参照して、ソース機器からのコマンドを受信した際のＣＥＣ制御ユニット３３の動作について説明する。
【００６２】
ＣＥＣ制御ユニット３３は、接続されたソース機器（ＢＤユニット２およびＤＶＤプレーヤ４）から送信されるコマンド（ＨＤＭＩ−ＣＥＣ信号）を受信すると（ステップＳ３０１）、初めの１バイトに含まれる送信元アドレスおよび送信先アドレスから、受信したコマンドがブロードキャストかどうかを確認する（ステップＳ３０２）。ブロードキャストかどうかは、送信先アドレスが“Ｆ（１６進数）”であるかどうかで確認できる。ブロードキャストであれば、送信先アドレスが“Ｆ”となっている。
【００６３】
受信したコマンドがブロードキャストでない場合（ステップＳ３０２のＮｏ）、ＣＥＣ制御ユニット３３は、受信したコマンドの送信先が自己宛かどうかを確認する（ステップＳ３０３）。受信したコマンドの送信先が自己宛の場合（ステップＳ３０３のＹｅｓ）、ＣＥＣ制御ユニット３３は、メモリ３４を参照してＣＥＣ連動設定がＯＮであるかどうかを確認する（ステップＳ３０４）。ＣＥＣ連動設定がＯＮでない場合（ステップＳ３０４のＮｏ）、ＣＥＣ制御ユニット３３は、ＢＤユニット２の論理アドレスを取得済みであるかどうかを確認する（ステップＳ３０５）。
【００６４】
ＢＤユニット２の論理アドレスを取得済みである場合（ステップＳ３０５のＹｅｓ）、ＣＥＣ制御ユニット３３は、受信したコマンドの送信元アドレスが、メモリ３４に記憶したＢＤユニット２の論理アドレスと一致するかどうか、つまり送信元アドレスがＢＤユニット２であるかどうかを確認する（ステップＳ３０６）。受信したコマンドの送信元アドレスが、メモリ３４に記憶したＢＤユニット２の論理アドレスと一致する場合（ステップＳ３０６のＹｅｓ）、ＣＥＣ制御ユニット３３は、ＢＤユニット２に対して応答（ACK）し（ステップＳ３０７）、受信したコマンドを有効とする、つまり受信したコマンドに対応する機能を実行する（ステップＳ３０８）。
【００６５】
ステップＳ３０３において、ＣＥＣ連動設定がＯＮである場合（ステップＳ３０３のＹｅｓ）、またはステップＳ３０５において、ＢＤユニット２の論理アドレスを取得済みでない場合（ステップＳ３０５のＮｏ）、ＣＥＣ制御ユニット３３は、ＢＤユニット２に対して応答（ACK）し（ステップＳ３０７）、受信したコマンドを有効とする（ステップＳ３０８）。
【００６６】
また、ステップＳ３０２において、受信したコマンドがブロードキャストである場合（ステップＳ３０２のＹｅｓ）、ＣＥＣ制御ユニット３３は、メモリ３４を参照してＣＥＣ連動設定がＯＮであるかどうかを確認する（ステップＳ３０９）。ＣＥＣ連動設定がＯＮでない場合（ステップＳ３０９のＮｏ）、ＣＥＣ制御ユニット３３は、ＢＤユニット２の論理アドレスを取得済みであるかどうかを確認する（ステップＳ３１０）。
【００６７】
ＢＤユニット２の論理アドレスを取得済みである場合（ステップＳ３１０のＹｅｓ）、ＣＥＣ制御ユニット３３は、受信したコマンドの送信元アドレスが、メモリ３４に記憶したＢＤユニット２の論理アドレスと一致するかどうか、つまり送信元アドレスがＢＤユニット２であるかどうかを確認する（ステップＳ３１１）。受信したコマンドの送信元アドレスが、メモリ３４に記憶したＢＤユニット２の論理アドレスと一致する場合（ステップＳ３１１のＹｅｓ）、ＣＥＣ制御ユニット３３は、ＢＤユニット２に対して応答（ACK）せずに（ステップＳ３１２）、受信したコマンドを有効とする、つまり受信したコマンドに対応する機能を実行する（ステップＳ３０８）。
【００６８】
また、ステップＳ３０３において、受信したコマンドの送信先が自己宛でない場合（ステップＳ３０３のＮｏ）、ステップＳ３０６およびステップＳ３１１において、受信したコマンドの送信元アドレスが、メモリ３４に記憶したＢＤユニット２の論理アドレスと一致しない、つまり送信元アドレスがＢＤユニット２でない場合（ステップＳ３０６，Ｓ３１１のＮｏ）、ＣＥＣ制御ユニット３３は、応答（ACK）せずに（ステップＳ３１３）、受信したコマンドを無効とする、つまり受信したコマンドに対応する機能を実行しない（ステップＳ３３１４）。
【００６９】
なお、ＣＥＣ連動設定がＯＦＦとなっている場合、ＣＥＣ制御ユニット３３は、ＢＤユニット２のＣＥＣ制御ユニット２３宛のコマンドを送信し、ＤＶＤプレーヤ４のＣＥＣ制御ユニット４３宛のコマンドを送信しない。
【００７０】
以上のように、この実施形態によれば、ＣＥＣ連動設定がＯＮであるかどうかを確認し、ＣＥＣ連動設定がＯＦＦである場合には、ＢＤユニット２から送信されるコマンドのみを有効とし、その他のソース機器から送信されるコマンドに対しては、応答（ACK）せずにコマンドを無効とする。このため、外部接続されたソース機器（ＤＶＤプレーヤ４）に対しては、連動機能をＯＦＦした状態で、内蔵されているＢＤユニット２に対する制御を行うことが可能となる。
【００７１】
また、内蔵するソース機器（ＢＤユニット２）の制御に、ＨＤＭＩ−ＣＥＣ制御線とは別に設けた専用線を用いる必要がないため、内蔵するソース機器の制御と外部接続されるソース機器（ＤＶＤプレーヤ４）のＨＤＭＩ−ＣＥＣ制御とのための連携機能部品を開発する必要がなく製造コストを抑制できる。
【００７２】
なお、本願発明は、上記実施形態のみに限定されるものではなく、実施段階ではその要旨を逸脱しない範囲で構成要素を変形してもよい。例えば各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア（Removable media）等が含まれる。
さらに、ネットワークを介して接続した異なるコンピュータに構成要素を分散して記憶し、各構成要素を機能させたコンピュータ間で通信することで実現してもよい。
【符号の説明】
【００７３】
１…ＴＶ筺体、２…ＢＤユニット（第２のソース機器）、３…ＴＶユニット、４…ＤＶＤプレーヤ（第１のソース機器）、５〜７…ＨＤＭIケーブル、８…電源ユニット、９…リモートコントローラ（リモコン）、１０…受付手段、１９，２９，３９…ＨＤＭI入力端子、１１，１２…ＨＰＤ線、１３…ＣＥＣ制御線、２１，４１…候補メモリ、２２…保持部、２３，３３，４３…ＣＥＣ制御ユニット、３０…制御装置、３１，３２…ＨＰＤ制御ユニット、３４…メモリ（第１，第２のメモリ）。
【図１】
2011142445.tif 000003
【図２】
2011142445.tif 000004
【図３】
2011142445.tif 000005
【図４】
2011142445.tif 000006
【図５】
2011142445.tif 000007